Podtech/llm-jp-corpus-v4-ja_patent huggingface dataset:
【手続補正書】
【提出日】平成18年2月28日(2006.2.28)
【手続補正１】
【補正対象書類名】明細書
【補正対象項目名】発明の名称
【補正方法】変更
【補正の内容】
【発明の名称】ズームレンズ及びこのズームレンズを備えたビデオカメラ並びに赤外線フィルターの組み立て方法
【手続補正２】
【補正対象書類名】明細書
【補正対象項目名】特許請求の範囲
【補正方法】変更
【補正の内容】
【特許請求の範囲】
【請求項１】レンズ系の中に、選択的に上下動することができる赤外線遮光フィルターを備えているズームレンズであって、前記赤外線遮光フィルターは、上下動用のホルダーと、該ホルダー内に収容された赤外線フィルターと、該赤外線フィルターを保持するキャップとからなり、前記赤外線フィルターは、前記赤外線遮光フィルターの上下動方向に対して直交する方向から前記ホルダーに収容することを特徴とするズームレンズ。
【請求項２】前記ホルダーの外側にガイド部材を配設したことを特徴とする請求項１に記載のズームレンズ。
【請求項３】前記キャップは、前記ホルダーの外側に係合する保持手段を設けたことを特徴とする請求項１に記載のズームレンズ。
【請求項４】少なくとも撮像素子と、該撮像素子上に被写体を結像させることができるズームレンズとを備えたビデオカメラであって、前記ズームレンズは、選択的に上下動することができる赤外線遮光フィルターを備え、該赤外線遮光フィルターは、上下動用のホルダーと、該ホルダー内に収容された赤外線フィルターと、該赤外線フィルターを保持するキャップとからなり、前記赤外線フィルターは、前記赤外線遮光フィルターの上下動方向に対して直交する方向から前記ホルダーに収容することを特徴とするビデオカメラ。
【請求項５】前記ホルダーの外側にガイド部材を配設したことを特徴とする請求項４に記載のビデオカメラ。
【請求項６】前記キャップは、前記ホルダーの外側に係合する保持手段を設けたことを特徴とする請求項４に記載のビデオカメラ。
【請求項７】上下動する方向と直交する方向の一方の側面側を開口とした側面側開口部と、該側面側開口部の上下端に赤外線フィルターを収容ガイドする支持枠とを備えた上下動用のホルダーであって、
前記側面側開口部に四角形状の赤外線フィルターを前記支持枠で支持されるようにして挿入し、
該挿入した赤外線フィルターの側面側からキャップのバネ部の先端に設けた互いに内側方向を向いた爪を前記ホルダーの支持枠の外側に突出させた係合部に係合させて組み立て、
該キャップが組み付けられた前記ホルダーを、上部開口のガイド部材に上下方向に移動可能なように組み付けたことを特徴とする赤外線フィルターの組み立て方法。
【手続補正３】
【補正対象書類名】明細書
【補正対象項目名】０００１
【補正方法】変更
【補正の内容】
【０００１】
【発明の属する技術分野】
本発明は、ズームレンズ及びこのズームレンズを備えたビデオカメラ並びに赤外線フィルターの組み立て方法に関し、特にズームレンズに配置した赤外線遮光フィルターの構造に関する。
【手続補正４】
【補正対象書類名】明細書
【補正対象項目名】００１４
【補正方法】変更
【補正の内容】
【００１４】
又、ビデオカメラは、少なくとも撮像素子と、該撮像素子上に被写体を結像させることができるズームレンズとを備えたビデオカメラであって、前記ズームレンズは、選択的に上下動することができる赤外線遮光フィルターを備え、該赤外線遮光フィルターは、上下動用のホルダーと、該ホルダー内に収容された赤外線フィルターと、該赤外線フィルターを保持するキャップとからなり、前記赤外線フィルターは、前記赤外線遮光フィルターの上下動方向に対して直交する方向から前記ホルダーに収容することである。また、前記ホルダーの外側にガイド部材を配設したこと；前記キャップは、前記ホルダーの外側に係合する保持手段を設けたことである。
赤外線フィルターの組み立て方法は、上下動する方向と直交する方向の一方の側面側を開口とした側面側開口部と、該側面側開口部の上下端に赤外線フィルターを収容ガイドする支持枠とを備えた上下動用のホルダーであって、前記側面側開口部に四角形状の赤外線フィルターを前記支持枠で支持されるようにして挿入し、該挿入した赤外線フィルターの側面側からキャップのバネ部の先端に設けた互いに内側方向を向いた爪を前記ホルダーの支持枠の外側に突出させた係合部に係合させて組み立て、該キャップが組み付けられた前記ホルダーを、上部開口のガイド部材に上下方向に移動可能なように組み付けたことを特徴とする。
【手続補正５】
【補正対象書類名】明細書
【補正対象項目名】００１８
【補正方法】変更
【補正の内容】
【００１８】
【発明の実施の形態】
次に、本発明に係るズームレンズ及びこのズームレンズを備えたビデオカメラ並びに赤外線フィルターの組み立て方法の実施の形態について図面を参照して説明する。尚、ズームレンズ及びビデオカメラ全体の構造は、従来技術で説明した図５に示す構成と同じであるので同じものには同一符号を付けて説明する。
【手続補正書】
【提出日】平成18年1月13日(2006.1.13)
【手続補正１】
【補正対象書類名】明細書
【補正対象項目名】特許請求の範囲
【補正方法】変更
【補正の内容】
【特許請求の範囲】
【請求項１】
画像を取り込む画像取得手段と、
この画像取得手段により取り込まれた画像からその画像領域内の任意の送信許可範囲を選択する第１の選択手段と、
当該第１の選択手段にて選択した送信許可範囲内であって実際に送信する任意の送信画像を選択する第２の選択手段と、
この第２の選択手段にて選択された送信画像を送信する手段と
を具備することを特徴とする画像情報伝達装置。
【請求項２】
画像を取り込む画像取得手段と、
この画像取得手段により取り込まれた画像中の任意範囲を選択する第１の選択手段と、
当該第１の選択手段にて選択した任意範囲中の所望の範囲を送信許可範囲として選択する第２の選択手段と、
当該第２の選択手段にて選択した送信許可範囲内であって実際に送信する任意の送信画像を選択する第３の選択手段と、
この第３の選択手段にて選択された送信画像を送信する手段と
を具備することを特徴とする画像情報伝達装置。
【請求項３】
記憶手段を有し、記憶手段からの予め用意した複数の画像から、画像を選択、あるいは複数の画像を選択してレイヤを分けて画像を重ね、送信許可範囲画像を得る第１の選択手段と、
この第１の選択手段によって得られた送信許可範囲内であって実際に送信する任意の送信画像を選択する第２の選択手段と、
この第２の選択手段にて選択された送信画像を送信する手段と
を具備することを特徴とする画像情報伝達装置。
【請求項４】
画像を取り込む画像取得手段と、
この画像取得手段により取り込まれた画像からその画像領域内の任意の取り込み画像送信許可範囲を選択する第１の選択手段と、
記憶手段を有し、記憶手段からの予め用意した複数の画像と、当該画像取得手段からの送信許可画像とを選択、あるいは複数の画像を選択してレイヤを分けて画像を重ね送信許可範囲画像を得る第２の選択手段と、
その送信許可範囲画像内であって実際に送信する任意の送信画像を選択する第３の選択手段と、
この第３の選択手段にて選択された送信画像を送信する手段と
を具備することを特徴とする画像情報伝送装置。
【請求項５】
実際に送信する送信画像範囲を、予め定めた送信可能画像サイズによって複数に分割し、この分割されたそれぞれの画像を任意の順序にて送信すること
を特徴とする請求項１乃至４いずれか１項に記載の画像情報伝達装置。
【請求項６】
実際に送信する送信画像範囲を予め定めた送信可能画像サイズに応じて複数に分割し、この分割されたそれぞれの画像を任意の順序にて送信することを特徴とし、通信中にその送信画像範囲サイズを動的に変化させる手段
を具備することを特徴とする請求項１乃至４いずれか１項に記載の画像情報伝達装置。
【請求項７】
第１の装置と第２の装置との間で通信を行う画像情報伝達システムであって、
当該第１の装置は、
画像を取り込む画像取得手段と、
この画像取得手段により取り込まれた画像からその画像領域内の任意の取り込み画像送信許可範囲を選択する第１の選択手段と、
記憶手段を有し、記憶手段からの予め用意した複数の画像と、当該画像取得手段からの送信許可画像とを選択、あるいは複数の画像を選択してレイヤを分けて画像を重ねて送信許可範囲画像を得る第２の選択手段と、
その送信許可範囲画像内であって実際に送信する任意の送信画像を選択する第３の選択手段と、
この第３の選択手段にて選択された送信画像を送信する手段と
を備え、
当該第２の選択手段若しくは当該第３の選択手段のみ、またはその両方の選択手段に対し、この送信される画像が送信許可範囲内の隣接する領域部分の画像となるように、あるいは別の記憶手段内送信許可画像や、画像を取り込む画像取得手段からの画像になるように、当該第２の装置から当該第１の装置を動的に操作可能であること
を特徴とする画像情報伝達システム。
【請求項８】
通信相手の付加情報により、初期送信許可範囲を選択する選択手段を有することを特徴とする請求項７記載の画像情報伝達システム。
【請求項９】
相手装置から画像を受信する手段
をさらに備え、
自画像と相手画像の画像切替に関して、画像データ線は共通とし、自画像と相手画像の切替制御を同じ制御線を用いて行うこと
を特微とする請求項１乃至４のいずれか１項に記載の画像情報伝達装置。
【請求項１０】
相手装置から画像を受信する手段
をさらに備え、
自画像と相手画像の画像切替に関して、画像データ線は共通とし、自画像と相手画像の切替制御も同じデータ線を用いてコマンドとして送る事
を特徴とする請求項１乃至４のいずれか１項に記載の画像情報伝達装置。
【請求項１１】
相手装置から画像を受信する手段
をさらに備え、
当該相手装置の送信画像形状が自己の表示画像形状と相似形をなさない場合、相手画像の形を必ず含むようにスケーリングするスケーリング機能を備えること
を特徴とする請求項１乃至４のいずれか１項に記載の画像情報伝達装置。
【請求項１２】
相手装置から画像を受信する手段
をさらに備え、
当該相手装置の送信画像形状が自分の表示画像形状と相似形をなさない場合、相手の表示画像形状に合わせて自分の送信画像に予め用意されている画像を付加する事によって相手の表示形状と相似形とする機能を備えること
を特徴とする請求項１乃至４のいずれか１項に記載の画像情報伝達装置。
【請求項１３】
他の画像情報伝達装置との間で通信を行う画像情報伝達装置において、
送信画像データ内にポインタタグを設け、送信画像と同じ通信路を用いて送信画像の一部を示すポインタ、若しくは相手画像の一部を示すポインタ、またはその両方のポインタ情報を送信すること
を特徴とする画像情報伝達装置。
【請求項１４】
他の画像情報伝達装置との間で通信を行う画像情報伝達装置において、
送信画像の一部を示すポインタ、若しくは相手画像の一部を示すポインタ、またはその両方のポインタを表示すること
を特徴とする画像情報伝達装置。
【請求項１５】
ポインタ情報の送信にポインタ位置の差分ならびに差分情報から計算される情報を送ること
を特徴とする請求項１３または１４に記載の画像情報伝達装置。
【手続補正書】
【提出日】平成18年7月7日(2006.7.7)
【手続補正１】
【補正対象書類名】明細書
【補正対象項目名】特許請求の範囲
【補正方法】変更
【補正の内容】
【特許請求の範囲】
【請求項１】  素子が形成された半導体基板上の絶縁膜を炭素とフッ素とを含む化合物系のプラズマを用いて部分的に除去することで前記半導体基板表面が露出する開口部を前記絶縁膜に形成する第１の工程と、
前記露出した前記半導体基板表面に導入された炭素とフッ素と酸素とを除去する第２の工程と
を含むことを特徴とする半導体装置の製造方法。
【請求項２】  請求項１記載の半導体装置の製造方法において、
前記第２の工程は、前記開口部底部に露出した前記半導体基板表面をシリコンと水素とからなる化合物のプラズマに晒す
ことを特徴とする半導体装置の製造方法。
【請求項３】  請求項１記載の半導体装置の製造方法において、
前記第２の工程は、前記開口部底部に露出した前記半導体基板表面を水素のプラズマに晒す
ことを特徴とする半導体装置の製造方法。
【請求項４】  請求項１〜３のいずれか１項に記載の半導体装置の製造方法において、
前記第１の工程は、前記絶縁膜の上に形成したレジストパタンをマスクとして用いて前記開口部を形成し、前記レジストパタンは、前記第２の工程の後に除去する
こと特徴とする半導体装置の製造方法。
【手続補正２】
【補正対象書類名】明細書
【補正対象項目名】０００９
【補正方法】変更
【補正の内容】
【０００９】
【課題を解決するための手段】
本発明の半導体装置の製造方法は、素子が形成された半導体基板上の絶縁膜を炭素とフッ素とを含む化合物系のプラズマを用いて部分的に除去することで半導体基板表面が露出する開口部を絶縁膜に形成する第１の工程と、露出した半導体基板表面に導入された炭素とフッ素と酸素とを除去する第２の工程とを含む。例えば、この後で、開口部内に開口部底部に露出するシリコンなどの半導体基板表面に接触してシリコンなどの導電材料からなるプラグを形成し、絶縁膜上にプラグに接続する配線を形成すればよい。
この発明によれば、開口部を形成した後で開口部底部に露出した半導体基板表面に導入された炭素とフッ素と酸素とを除去するようにしたので、開口部底部に露出した半導体基板表面のダメージを解消することができる。
【手続補正３】
【補正対象書類名】明細書
【補正対象項目名】００１０
【補正方法】変更
【補正の内容】
【００１０】
また、半導体基板表面が露出する開口部を絶縁膜に形成した後、開口部底部に露出した半導体基板表面を、シリコンと水素とからなる化合物のプラズマもしくは水素のプラズマに晒すことで、開口部底部に露出した半導体基板表面に導入された炭素とフッ素と酸素とを除去しようとするものである。
このように、シリコンと水素とからなる化合物のプラズマもしくは水素のプラズマに晒すことで、半導体基板表面に導入された炭素やフッ素が、プラズマにより生成された活性種と結合して半導体基板より脱離する。
【手続補正４】
【補正対象書類名】明細書
【補正対象項目名】００２１
【補正方法】変更
【補正の内容】
【００２１】
【発明の効果】
以上説明したように、本発明では、素子が形成されたシリコンなどの半導体基板上に絶縁膜を形成し、炭素とフッ素とからなる化合物のプラズマを用いて絶縁膜を部分的に除去することで半導体基板表面が露出する開口部を層間膜に形成した後、開口部底部に露出した半導体基板表面に導入された炭素とフッ素と酸素とを除去するようにした。例えば、この後で、開口部内に開口部底部に露出する半導体基板表面に接触してシリコンなどの導電材料からなるプラグを形成し、絶縁膜上にプラグに接続する配線を形成すればよい。
この発明によれば、開口部を形成した後で開口部底部に露出した半導体基板表面に導入された炭素とフッ素と酸素とを除去するようにしたので、開口部底部に露出した半導体基板表面のダメージを解消することができる。そして、この炭素とフッ素と酸素とを除去するとき、開口部底部に露出した半導体基板表面は除去していないので、本発明によれば、形成している素子の特性を劣化させることなく、コンタクト抵抗の増加を抑制できるようになるという優れた効果が得られる。
【手続補正書】
【提出日】平成18年6月16日(2006.6.16)
【手続補正１】
【補正対象書類名】明細書
【補正対象項目名】０００６
【補正方法】変更
【補正の内容】
【０００６】
この視野角を広げるためには反射体の反射特性（光の集中と分散）を制御することが必要であり、これまで多くの検討がなされてきた。反射体の反射特性を制御する方法としては、反射面（金属薄膜層）を形成する基材（高分子フィルム）を凹凸化する方法が一般的である。凹凸化方法としては、
（１）高分子フィルム表面にエンボス加工を施し凹凸構造を形成した後、表面を溶剤で処理して滑らかにする方法。
（２）高分子フィルム表面にＳｉＯ2などの粒子を高圧空気とともに吹き付けるサンドブラスト方法。
（３）エッチング法などの化学的方法。
などが挙げられる。しかしながら、（１）、（２）の方式では、機械的物理的方法によりフィルム表面に凹凸形状を形成する方式のため、フィルムの材質の選択のはばが狭くまた、厚みもある程度厚くしなければならないという欠点がある。また、（２）の方法では硬いサンド（ＳｉＯ２）の形状が不均一なことから、得られる凹凸形状も激しくかつ、不均一に荒れており、アルカリ溶液処理などで表面の一部を溶解しても、この荒れを十分に均一化することができず、えられる凹凸構造が非常に不均一になるという欠点がある。さらにまた、（３）のような化学的方法においても、フィルムの材質の選択がシビアでありまた、処理後の洗浄乾燥が大変であるという欠点がある。
【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】  ベルト式ＣＶＴ用プーリのシーブ面の、そのプーリの中心軸線を含む断面での輪郭曲線が、シーブ角が連続的に変化する滑らかな凸曲線であって、変速比１の半径の点から所定の半径までのプーリ径方向の距離と軸線方向の距離との関係が所定の関数で表されるようにシーブ角を変化させた凸曲線の輪郭を有することを特徴とする、ベルト式ＣＶＴ用プーリ。
【請求項２】  前記シーブ面の、前記プーリの中心軸線を含む断面での輪郭曲線が、変速比１の半径の点から所定の半径までのプーリ径方向の距離と軸線方向の距離との関係について、２次関数で表されるようにシーブ角を変化させた凸曲線の輪郭を有することを特徴とする、請求項１記載のベルト式ＣＶＴ用プーリ。
【請求項３】  前記シーブ面の、前記プーリの中心軸線を含む断面での輪郭曲線の、変速比１の半径Ｒ０の点から半径Ｒの点までの軸線方向距離ｘが、基準シーブ角α０，最小半径Ｒｍｉｎに対し、
ｘ＝Ｒ×ｔａｎα０＋｛ｋ／（Ｒ０−Ｒｍｉｎ）｝×（Ｒ−Ｒ０）2 
（但し、ｋは所定の定数）
であることを特徴とする、請求項２記載のベルト式ＣＶＴ用プーリ。
【請求項４】  前記シーブ面の、前記プーリの中心軸線を含む断面での輪郭曲線の、変速比１の半径Ｒ０の点から半径Ｒの点までの軸線方向距離ｘが、基準シーブ角α０，最小半径Ｒｍｉｎに対し、
ｘ＝Ｒ×ｔａｎα０＋｛ｋ／（Ｒ０−Ｒｍｉｎ）｝×（Ｒ−Ｒ０）2 
であり、
前記ｋが０＜ｋ≦０．０２１であることを特徴とする、請求項３記載のベルト式ＣＶＴ用プーリ。
【請求項５】  側面角が前記基準シーブ角に等しいα０であるＶベルトに用いられる前記プーリにおいて、
前記ｋが０＜ｋ≦０．００１８であることを特徴とする、請求項４記載のベルト式ＣＶＴ用プーリ。
【請求項６】  前記ｋが０．００１８＜ｋ≦０．０２１である請求項４記載のベルト式ＣＶＴ用プーリに用いられるＶベルトにおいて、
側面角が内周側から外周側へ向けて前記プーリの最大シーブ角αｍａｘに等しい角度γｍａｘから前記プーリの最小シーブ角αｍｉｎに等しい角度γｍｉｎまで連続的に変化していることを特徴とする、プーリ用Ｖベルト。
【請求項７】  側面角が基準シーブ角に等しいα０であるＶベルトに用いられる前記プーリにおいて、
基準シーブ角α０に対する最小シーブ角αｍｉｎの角度差Δαが、
０°＜Δα≦２．４°であることを特徴とする、請求項１記載のベルト式ＣＶＴ用プーリ。
【請求項８】  前記角度差Δαが、０．１５°≦Δα≦０．３５°であることを特徴とする、請求項７記載のベルト式ＣＶＴ用プーリ。
【手続補正２】
【補正対象書類名】明細書
【補正対象項目名】０００５
【補正方法】変更
【補正の内容】
【０００５】
【課題を解決するための手段およびその作用・効果】
この発明は、上記課題を有利に解決したベルト式ＣＶＴ用プーリおよびそのプーリ用ベルトを提供することを目的とするものであり、この発明のベルト式ＣＶＴ用プーリは、前記ベルト式ＣＶＴ用プーリのシーブ面の、そのプーリの中心軸線を含む断面での輪郭曲線が、シーブ角が連続的に変化する滑らかな凸曲線であって、変速比１の半径の点から所定の半径までのプーリ径方向の距離と軸線方向の距離との関係が所定の関数で表されるようにシーブ角を変化させた凸曲線の輪郭を有することを特徴とするものである。
【手続補正３】
【補正対象書類名】明細書
【補正対象項目名】０００７
【補正方法】変更
【補正の内容】
【０００７】
なお、この発明のプーリでは、前記シーブ面の、前記プーリの中心軸線を含む断面での輪郭曲線が、変速比１の半径の点から所定の半径までのプーリ径方向の距離と軸線方向の距離との関係について、２次関数で表されるようにシーブ角を変化させた凸曲線の輪郭を有していても良い。
さらに、この発明のプーリでは、前記シーブ面の、前記プーリの中心軸線を含む断面での輪郭曲線の、変速比１の半径Ｒ０の点から半径Ｒの点までの軸線方向距離ｘが、基準シーブ角α０，最小半径Ｒｍｉｎに対し、
ｘ＝Ｒ×ｔａｎα０＋｛ｋ／（Ｒ０−Ｒｍｉｎ）｝×（Ｒ−Ｒ０）2 
であり、前記ｋが０＜ｋ≦０．０２１であっても良く、かかる輪郭曲線のシーブ面によれば、ｋ＝０．０２１の時に変速に伴う芯ずれ量を０とすることができ、０＜ｋ＜０．０２１の時にそのｋの値に応じて従来よりも芯ずれ量を減らすことができる。
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
表示画面上に設定した複数の絵柄列で所定の変動方向に絵柄を変動表示する絵柄表示装置と、該絵柄表示装置を制御する表示制御手段とを備え、遊技者に有利な特別遊技状態を発生し得る遊技機において、
前記表示画面に、前記絵柄の変動表示を行う第１表示領域と該第１表示領域に対して前記絵柄の変動方向又はその逆方向に隣接して設けられる第２表示領域とを表示する表示領域制御手段と、
前記第１及び第２表示領域の境界部に前記絵柄列毎に境界識別部を表示する境界識別部制御手段と、
所定条件の成立に応じて前記絵柄列毎の境界識別部を視認可又は視認不可のいずれかの状態に切り替えると共に、その切り替えに伴い前記第２表示領域の少なくとも一部を前記第１表示領域に統合する表示切替制御手段と
を設けたことを特徴とする遊技機。
【請求項２】
前記所定条件とは、前記特別遊技状態の発生を教示し得る特定絵柄を最終停止表示する、又は一旦停止表示する前段階として待機絵柄を停止表示するとともに、該待機絵柄の表示後に所定の待機状態変動演出を行うことであり、前記表示切替制御手段は、前記所定条件の成立により前記境界識別部を視認不可とすることを特徴とする請求項１に記載の遊技機。
【請求項３】
前記表示画面の背景画像として前記第１表示領域及び前記第２表示領域にそれぞれ個別の背景絵柄を表示する背景絵柄制御手段と、各表示領域にて独立した表示演出を行う表示演出制御手段と、を設けたことを特徴とする請求項１又は請求項２に記載の遊技機。
【請求項４】
変動絵柄表示用の絵柄変動データと、該変動絵柄の背後に表示される背景画像用の背景表示データと、を各々用い、これら各データにより表示画面内に変動絵柄と、境界識別部、背景絵柄、第１及び第２表示領域を含む背景画像と、を表示するようにした遊技機であって、前記表示切替制御手段は前記背景表示データの操作により前記境界識別部の表示切替及び表示領域統合を行うことを特徴とする請求項１乃至請求項３のいずれかに記載の遊技機。
【請求項５】
前記第２表示領域の少なくとも一部を隠蔽するように配置された隠蔽部材と、該隠蔽部材を制御する隠蔽部材制御手段と、を備え、該隠蔽部材制御手段が前記隠蔽領域を視認可能となるよう前記隠蔽部材を制御するのに伴い、前記表示切替制御手段が前記境界識別部の表示切替及び表示領域統合を行うことを特徴とする請求項１乃至請求項４のいずれかに記載の遊技機。
【請求項６】
前記第２表示領域は、前記隠蔽部材に隠蔽されない領域と、前記隠蔽部材に隠蔽される領域とよりなることを特徴とする請求項５に記載の遊技機。
【請求項７】
前記隠蔽部材制御手段は、前記隠蔽部材を、該隠蔽部材に隠蔽されない領域にて行われる表示演出と連動して動作するよう制御することを特徴とする請求項６に記載の遊技機。
【請求項８】
前記第２表示領域に第２絵柄を表示する第２絵柄表示手段と、該第２絵柄を前記第２表示領域から前記第１表示領域へと移動表示できるよう前記第２絵柄の変動を制御する第２絵柄制御手段とを設けたことを特徴とする請求項１乃至請求項７のいずれかに記載の遊技機。
【請求項９】
表示画面上に設定した複数の絵柄列で所定の変動方向に第１絵柄を変動表示する絵柄表示装置と、
前記第１絵柄の変動及び停止を制御するとともに、遊技者に有利な特別遊技状態が発生する際には前記第１絵柄を特定絵柄にて停止表示するよう前記絵柄表示装置を制御する表示制御手段と
を備える遊技機において、
前記表示画面に、前記第１絵柄の変動表示を行う第１表示領域と該第１表示領域に対して前記第１絵柄の変動方向又はその逆方向に隣接して設けられる第２表示領域とを表示する表示領域制御手段と、
前記第１及び第２表示領域の境界部に境界識別部を表示する境界識別部制御手段と、
所定条件の成立に応じて前記絵柄列毎の境界識別部を視認可から視認不可の状態に切り替えると共に、その切り替えに伴い前記第２表示領域の少なくとも一部を前記第１表示領域に統合して拡張表示領域を形成する表示切替制御手段と、
補助的な演出を行う第２絵柄をその統合された前記第１表示領域及び第２表示領域に架かるようにして表示する第２絵柄表示手段と
を設けたことを特徴とする遊技機。
【請求項１０】
前記表示切替制御手段は、前記特定絵柄を最終停止表示又は一旦停止表示する前段階として待機絵柄を停止表示するとともに該待機絵柄の表示後に所定の待機状態変動演出を行う際に、前記所定条件が成立したと判断することを特徴とする請求項９に記載の遊技機。
【手続補正書】
【提出日】平成18年8月25日(2006.8.25)
【手続補正１】
【補正対象書類名】特許請求の範囲
【補正対象項目名】全文
【補正方法】変更
【補正の内容】
【特許請求の範囲】
【請求項１】
内径に螺旋溝を有する中継筒の両端に、回動可能にそれぞれ先筒Ａ、先筒Ｂを連結し、前端に化粧用備品を含む棒状化粧材を保持する保持部を備えた芯チャック部材ａを前記先筒Ａ内に収容し、この先筒Ａ、芯チャック部材ａ及び先筒Ａ側の前記中継筒内の螺旋溝で繰出機構Ａを構成するとともに、前端に化粧用備品を含む棒状化粧材を保持する保持部を備えた芯チャック部材ｂを前記先筒Ｂ内に収容し、先筒Ｂと芯チャック部材ｂ 先筒Ｂ側の中継筒内の螺旋溝で繰出機構Ｂを構成することを特徴とする棒状化粧材両軸繰出容器。
【請求項２】
棒状化粧材Ａ及び棒状化粧材Ｂのそれぞれの外形寸法が同寸法で形成され、前記繰出機構Ａと繰出機構Ｂとが同一形状であることを特徴とする、請求項１記載の棒状化粧材両軸繰出容器。
【請求項３】
中継筒は、両端開口孔付近内径に先筒Ａ及び先筒Ｂを回動可能に連結する嵌合凹部が設けられるとともに、軸方向の内径ほぼ中央に底面が設置され、この底面よりそれぞれの開口孔方向に螺旋溝が形成されていることを特徴とする請求項１記載の棒状化粧材両軸繰出容器。
【請求項４】
中継筒は、両端開口孔付近内径に先筒Ａ及び先筒Ｂを回動可能に連結する嵌合凹部が設けられるとともに、内径軸方向にそれぞれのストローク長にわたる螺旋溝が形成されていることを特徴とする請求項１記載の棒状化粧材両軸繰出容器。
【手続補正２】
【補正対象書類名】明細書
【補正対象項目名】０００８
【補正方法】変更
【補正の内容】
【０００８】
第２の発明においては、棒状化粧材Ａ及び棒状化粧材Ｂのそれぞれの外形寸法が同寸法で形成され、前記繰出機構Ａと繰出機構Ｂとが同一形状である手段を講じたものである。
【手続補正３】
【補正対象書類名】明細書
【補正対象項目名】００１３
【補正方法】変更
【補正の内容】
【００１３】
第２の発明においては、棒状化粧材Ａ１及び棒状化粧材Ｂ１のそれぞれの外形寸法を同寸法とすることで、繰出機構Ａと繰出機構Ｂとを同一形状とすることが可能なため、先筒２部材、芯チャック部材２部材、中継筒１部材、射出成形金型３型でプラスティック部材を構成する、低価格な棒状化粧材両軸繰出容器を提供できる。
【手続補正４】
【補正対象書類名】明細書
【補正対象項目名】００１９
【補正方法】変更
【補正の内容】
【００１９】
第１実施例の棒状化粧材両軸繰出容器１に使用される棒状化粧材Ａ１、及び棒状化粧材Ｂ１は、ともに外径が２ｍｍの寸法で製作されているため、先筒１０Ａと先筒１０Ｂ、芯チャック部材３０ａと芯チャック部材３０ｂとを同一形状として形成される。
先筒２部材、芯チャック部材２部材、中継筒１部材、の計５部材により製作され、先筒、芯チャック部材、中継筒はそれぞれ射出成形によるブラスティック部材であるため、金型は３型にて棒状化粧材両軸繰出容器１が製作可能なことを、棒状化粧材両軸繰出容器１の特徴としている。
【手続補正５】
【補正対象書類名】明細書
【補正対象項目名】００３６
【補正方法】変更
【補正の内容】
【００３６】
第１実施例では、棒状化粧材繰出機構Ａと棒状化粧材繰出機構Ｂを同一形状とするとともに、棒状化粧材外形寸法を棒状化粧材Ａ１と棒状化粧材Ｂ１を同一形状としたため、先筒１０Ａと先筒１０Ｂ、芯チャック部材３０ａと芯チャック部材３０ｂとを同一形状として射出成形金型３型、先筒部材２，芯チャック部材２，中径筒部材１の計５部材で棒状化粧材両軸繰出容器１を完成させていたが、棒状化粧材繰出機構Ｅ及び棒状化粧材繰出機構Ｄは、前記棒状化粧材繰出機構Ａ及びＢとは全く構成を異なったものとしている。
【手続補正６】
【補正対象書類名】明細書
【補正対象項目名】００５１
【補正方法】変更
【補正の内容】
【００５１】
本発明は、棒状化粧材両軸繰出容器であり、内径に螺旋溝を有する中継筒の両端に回動可能にそれぞれ先筒Ａ，先筒Ｂを連結し先筒Ａ側には前端に棒状化粧材（化粧用備品）を保持する保持部を備えた芯チャック部材ａを収容し、前記先筒Ａと芯チャック部材ａと先筒Ａ側の中継筒内の螺旋溝で、繰出機構Ａを構成するとともに、先筒Ｂ側に前端に棒状化粧材（化粧用備品）を保持する保持部を備えた芯チャック部材ｂを収容し、前記先筒Ｂと芯チャック部材ｂと先筒Ｂ側の中継筒内の螺旋溝で繰出機構Ｂを構成することを特徴としており、繰出機構Ａと繰出機構Ｂとが同一形状であってもよく、また、全く異なる繰出機構Ａ、繰出機構Ｂとしてもよくアイライナー、アイブロウ、リップライナー、口紅等、またはこれらの化粧を施す用具であるマスカラブラシ、チップ、リップブラシ等を同時にセットすることも出来、別々に摺動可能な便利な棒状化粧材両軸繰出容器を提供できる。
【手続補正７】
【補正対象書類名】明細書
【補正対象項目名】００５２
【補正方法】変更
【補正の内容】
【００５２】
本発明は実施の形態において、同一の棒状化粧材繰出機構ＡとＢ（第１実施例）、異なる棒状化粧材繰出機構Ｅ及び棒状化粧材繰出機構Ｄ（第２実施例）として繰出機構を紹介したが、繰出機構としてこれに限るものではなく、中継筒内の螺旋溝を利用した両軸の繰出機構であれば、本発明の範疇に属するものである。
【手続補正８】
【補正対象書類名】図面
【補正対象項目名】図５
【補正方法】変更
【補正の内容】
【図５】
2005066234.tif 000001
【手続補正書】
【提出日】平成18年2月27日(2006.2.27)
【手続補正１】
【補正対象書類名】特許請求の範囲
【補正対象項目名】全文
【補正方法】変更
【補正の内容】
【特許請求の範囲】
【請求項１】
曲管部を有する金属管の外面に粉体融着方式により樹脂被覆を施すための曲管塗覆装装置であって、被施工管体を水平載置するための、飛石状に配置された支持台の群と、被施工管体に対して、粉体融着温度への加熱および樹脂粉体の投射適用ならびに成膜後の冷却とを順次適用するための、環状の誘導加熱装置および環状に配した塗装ガンの群ならびに環状の冷却ジャケットを貫通ハウジング内に配置するとともに該ハウジングに粉体回収機構を配備した塗装ブースと、この塗装ブースを被施工管体に沿って移動させるための移動機構とを備えて成り、前記支持台の夫々には、前記塗装ブースの移動に同期して退避する機構が配備されていること、を特徴とする曲管塗覆装装置。
【請求項２】
前記移動機構が、前記塗装ブースを取り付けたアームを旋回させるコンパス移動機構であること、を特徴とする請求項１記載の曲管塗覆装装置。
【請求項３】
前記コンパス移動機構は、前記アームへの前記塗装ブースの取付け位置がアーム長手方向に関して可変となっていること、を特徴とする請求項２記載の曲管塗覆装装置。
【請求項４】
前記コンパス移動機構は、前記アームへの前記塗装ブースの取付け角度が旋回面内に関して可変となっていること、を特徴とする請求項２又は請求項３に記載された曲管塗覆装装置。
【請求項５】
前記コンパス移動機構は、前記アームの旋回軸心の位置が、旋回面内にて可変となっている、ことを特徴とする請求項２乃至請求項４の何れかに記載された曲管塗覆装装置。
【請求項６】
前記塗装ブースへの樹脂粉体供給路ならびに給電路および給水路は、前記アーム内に集中配置されている、ことを特徴とする請求項２乃至請求項５の何れかに記載された曲管塗覆装装置。
【請求項７】
前記塗装ブースは前後２連構成となっており、夫々のブースに塗装ガンの群と粉体回収機構とが配備されている、ことを特徴とする請求項１乃至請求項６の何れかに記載された曲管塗覆装装置。
【請求項８】
前記塗装ガンは静電塗装ガンである、ことを特徴とする請求項１乃至請求項７の何れかに記載された曲管塗覆装装置。
【請求項９】
曲管部を有する金属管の外面に粉体融着方式により樹脂被覆を施すために、被施工管体に対して、粉体融着温度への加熱および樹脂粉体の投射適用ならびに成膜後の冷却を順次適用するための、環状の誘導加熱装置および環状に配した塗装ガンの群ならびに環状の冷却ジャケットを貫通ハウジング内に配置するとともに該ハウジングに粉体回収機構を配備した塗装ブースを被施工管体に沿って移動させるための移動機構であって、前記塗装ブースを取り付けたアームを旋回させるコンパス移動機構からなることを特徴とする曲管塗覆装用塗装ブース移動機構。
【請求項１０】
前記コンパス移動機構は、前記アームへの前記塗装ブースの取付け位置がアーム長手方向に関して可変となっていること、を特徴とする請求項９記載の曲管塗覆装用塗装ブース移動機構。
【請求項１１】
前記コンパス移動機構は、前記アームへの前記塗装ブースの取付け角度が旋回面内に関して可変となっていること、を特徴とする請求項９又は請求項１０に記載された曲管塗覆装用塗装ブース移動機構。
【請求項１２】
前記コンパス移動機構は、前記アームの旋回軸心の位置が、旋回面内にて可変となっている、ことを特徴とする請求項９乃至請求項１１の何れかに記載された曲管塗覆装用塗装ブース移動機構。
【請求項１３】
前記塗装ブースへの樹脂粉体供給路ならびに給電路および給水路は、前記アーム内に集中配置されている、ことを特徴とする請求項９乃至請求項１２の何れかに記載された曲管塗覆装用塗装ブース移動機構。
【請求項１４】
前記塗装ブースは前後２連構成となっており、夫々のブースに塗装ガンの群と粉体回収機構とが配備されている、ことを特徴とする請求項９乃至請求項１３の何れかに記載された曲管塗覆装用塗装ブース移動機構。
【請求項１５】
前記塗装ガンは静電塗装ガンである、ことを特徴とする請求項９乃至請求項１４の何れかに記載された曲管塗覆装用塗装ブース移動機構。
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
印刷媒体を搬送する印刷媒体搬送機構と、
印刷媒体搬送方向に沿って配設された複数のインク吐出部を有する印刷ヘッドと、
印刷媒体搬送方向に沿って配設された複数のインク吐出部を有する印刷ヘッドの前記複数のインク吐出部の一部により構成される上流側ノズル列により印刷され、前記搬送方向に交差する複数ライン状の基準パターン、及び、前記上流側ノズル列より前記搬送方向下流側に位置する前記複数のインク吐出部の一部により構成される下流側ノズル列により前記基準パターンに重なるように印刷され、前記基準パターンに平行な複数ライン状の調整用パターンからなる紙送り誤差検出用印刷パターンを印刷した印刷媒体に対し照射光を出射する発光部と、
前記印刷媒体表面において反射された反射光を受光して検出し、前記紙送り誤差検出用印刷パターンの印刷濃度を反映する前記反射光の強度に応じた値の受光出力信号を変換生成する受光部と、
を備えていることを特徴とする印刷装置。
【請求項２】
印刷媒体を搬送する印刷媒体搬送機構と、
印刷媒体搬送方向に沿って配設された複数のインク吐出部を有する印刷ヘッドと、
前記印刷ヘッドの中央部より前記搬送方向上流側に位置する複数の前記インク吐出部としての下端部ノズル列により印刷され、前記搬送方向に交差する複数ライン状の基準パターン、及び、前記印刷ヘッドの中央部より前記搬送方向下流側に位置する複数の前記インク吐出部としての上端部ノズル列により前記基準パターンに重なるように印刷され、前記基準パターンに平行な複数ライン状の調整用パターンからなる紙送り誤差検出用印刷パターンを印刷した印刷媒体に対し照射光を出射する発光部と、
前記印刷媒体表面において反射された反射光を受光して検出し、前記紙送り誤差検出用印刷パターンの印刷濃度を反映する前記反射光の強度に応じた値の受光出力信号を変換生成する受光部と、
を備えていることを特徴とする印刷装置。
【請求項３】
前記紙送り誤差検出用印刷パターンは、前記基準パターンの印刷と前記調整用パターンの印刷との間に実行される紙送り動作の紙送り量を段階的に変動させながら複数印刷されたものであることを特徴とする請求項１又は２に記載の印刷装置。
【請求項４】
前記調整用パターンは、前記下端部ノズル列又は前記上流側ノズル列直下に位置していた印刷媒体領域が前記上端部ノズル列又は前記下流側ノズル列直下に位置することとなる基本紙送り量の紙送り動作又は前記基本紙送り量に補正値を加算した紙送り量の紙送り動作の後に印刷されたものであることを特徴とする請求項１乃至３のいずれかに記載の印刷装置。
【請求項５】
前記補正値は、前記インク吐出部の配置間隔を１単位として±１／２の範囲において変動させられるものであることを特徴とする請求項４に記載の印刷装置。
【請求項６】
印刷濃度が最低である前記紙送り誤差検出用印刷パターンを特定することにより、紙送り誤差が最小となる前記補正値を決定する紙送り誤差判定部をさらに備えていることを特徴とする請求項４又は５に記載の印刷装置。
【請求項７】
印刷媒体搬送方向に沿って配設された複数のインク吐出部を有する印刷ヘッドの前記複数のインク吐出部の一部により構成される上流側ノズル列により、前記搬送方向に交差する複数ライン状の基準パターンを印刷する過程と、
前記上流側ノズル列直下に位置していた印刷媒体領域が、前記上流側ノズル列より前記搬送方向下流側に位置する前記複数のインク吐出部の一部により構成される下流側ノズル列直下に位置することとなる基本紙送り量の紙送り動作又は前記基本紙送り量に補正値を加算した紙送り量の紙送り動作を行う過程と、
前記基準パターンに重なるように、前記基準パターンに平行な複数ライン状の調整用パターンを前記下流側ノズル列により印刷し、前記基準パターン及び前記調整用パターンからなる紙送り誤差検出用印刷パターンを形成する過程と、
を備えていることを特徴とする紙送り誤差検出方法。
【請求項８】
印刷媒体搬送方向に沿って配設された複数のインク吐出部を有する印刷ヘッドの中央部より前記搬送方向上流側に位置する複数の前記インク吐出部としての下端部ノズル列により、前記搬送方向に交差する複数ライン状の基準パターンを印刷する過程と、
前記下端部ノズル列直下に位置していた印刷媒体領域が、前記印刷ヘッドの中央部より前記搬送方向下流側に位置する複数の前記インク吐出部としての上端部ノズル列直下に位置することとなる基本紙送り量の紙送り動作又は前記基本紙送り量に補正値を加算した紙送り量の紙送り動作を行う過程と、
前記基準パターンに重なるように、前記基準パターンに平行な複数ライン状の調整用パターンを前記上端部ノズル列により印刷し、前記基準パターン及び前記調整用パターンからなる紙送り誤差検出用印刷パターンを形成する過程と、
を備えていることを特徴とする紙送り誤差検出方法。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００２１
【補正方法】変更
【補正の内容】
【００２１】
上記本発明の実施の一形態に係る印刷装置の構成において、上記紙送り誤差検出用印刷パターンは、上記基準パターンの印刷と上記調整用パターンの印刷との間に実行される紙送り動作の紙送り量を段階的に変動させながら複数印刷されたものとするとよい。
【手続補正書】
【提出日】平成18年2月10日(2006.2.10)
【手続補正１】
【補正対象書類名】明細書
【補正対象項目名】００１３
【補正方法】変更
【補正の内容】
【００１３】
また、本発明のインクジェット記録方法の第２の態様は、色材を含有する荷電粒子を分散媒に分散してなるインク組成物に静電力を作用させることにより、前記インク組成物の曳糸を生成し、この曳糸を分断させて前記インク組成物をノズルから吐出させるインクジェット記録において、電気伝導度が１０ｐＳ／ｃｍ〜３０００ｐＳ／ｃｍのインク組成物を用い、前記インク組成物吐出時に前記曳糸にかかる電界強度を１×１０５  Ｖ／ｍ〜３×１０７ Ｖ／ｍ、前記ノズル１つ当たりへのインク組成物供給量を１×１０−６ｃｃ／秒〜１×１０−３ｃｃ／秒として、前記インク組成物の吐出を行うことを特徴とするインクジェット記録方法を提供する。
【手続補正２】
【補正対象書類名】明細書
【補正対象項目名】００４１
【補正方法】変更
【補正の内容】
【００４１】
キャリア液は、高い電気抵抗率（１０９ Ω・ｃｍ以上、好ましくは１０１０Ω・ｃｍ以上、また、好ましくは１０１６Ω・ｃｍ以下）を有する誘電性の液体（非水溶媒）であるのが好ましい。
【手続補正３】
【補正対象書類名】明細書
【補正対象項目名】００８４
【補正方法】変更
【補正の内容】
【００８４】
［シャドー部の階調再現性］
図１に示される記録装置１０を用いたパルス電圧駆動による静電式のインクジェット記録において、各実施例および比較例毎に、２５６階調のパルス幅変調を行い、２５６階調のステップを有するステップウエッジパターンを印刷用微コート紙に記録した。
このステップウエッジパターンの濃度をＸ−ＲＩＴＥ５０８光学濃度計（Ｘ−ＲＩＴＥ（株）社製）で測定し、濃度０．８以上の領域において、変化を確認できるステップウエッジ数（階調数）を検出した。
◎：  １６階調以上が確認できる画像
○：  １２階調以上が確認できる画像
△：  確認できる階調数が１１階調〜５階調の画像
×：  確認できる階調数が４階調以下の画像
【手続補正書】
【提出日】平成17年12月6日(2005.12.6)
【手続補正１】
【補正対象書類名】特許請求の範囲
【補正対象項目名】請求項１
【補正方法】変更
【補正の内容】
【請求項１】
複数の記録素子が配列された記録ヘッドを、記録媒体上で前記配列の方向と交差する方向に走査して記録を行う記録装置であって、
記録すべき情報に応じた前記記録素子の駆動データを格納するプリントバッファと、
メインテナンスモードにおいて用いられる前記記録素子の駆動データを格納するメインテナンスデータ格納手段と、
設定されたモードに応じて前記プリントバッファ又は前記メインテナンスデータ格納手段のいずれかに格納されたデータを出力する選択手段と、
前記記録素子のうち、正常な記録が行えない記録素子の情報を格納する不良素子情報格納手段と、
前記選択手段から出力されたデータに対して、前記不良素子情報格納手段に格納された情報に基づいて前記正常な記録が行えない記録素子の駆動データをマスクするマスク手段と、を備えることを特徴とする記録装置。
【手続補正２】
【補正対象書類名】特許請求の範囲
【補正対象項目名】請求項２
【補正方法】変更
【補正の内容】
【請求項２】
前記記録ヘッドは、正常な記録が行えない記録素子の位置に関する情報を格納する不揮発性のメモリを有しており、
前記不良素子情報格納手段は、前記記録ヘッドが前記記録装置に装着された際、又は前記記録装置に電源が投入された際に、前記不揮発性のメモリに格納された正常な記録が行えない記録素子の位置に関する情報を読み出して、該読み出した情報を前記不良素子情報格納手段に格納することを特徴とする請求項１に記載の記録装置。
【手続補正３】
【補正対象書類名】特許請求の範囲
【補正対象項目名】請求項９
【補正方法】変更
【補正の内容】
【請求項９】
複数の記録素子が配列された記録ヘッドを、記録媒体上で前記配列の方向と交差する方向に走査して記録を行う記録装置の駆動データのマスク方法であって、
記録すべき情報に応じた前記記録素子の駆動データを第１の格納手段に格納し、
メインテナンスモードにおいて用いられる前記記録素子の駆動データを第２の格納手段に格納し、
前記記録素子のうち、正常な記録が行えない記録素子の情報を第３の格納手段に格納し、
設定されたモードに応じて前記第１又は第２の格納手段のいずれかに格納されたデータを選択して出力し、
前記選択して出力されたデータに対して、前記第３の格納手段に格納された情報に基づいて前記正常な記録が行えない記録素子の駆動データをマスクする、ことを特徴とする記録装置の駆動データマスク方法。
【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】吸水性の支持体とその上に設ける水溶層とその上に設ける像担持層とからなる絵柄転写紙を用い、その画像を担持する像担持層側を転写対象物に貼り付ける画像貼着工程、前記絵柄転写紙の支持体に水を含ませることにより前記水溶層を水で溶かして前記支持体を剥離する支持体剥離工程、前記像担持層に残存する前記水溶層の水溶性物質を除去するクリーニング工程、前記絵柄転写紙の像担持層を前記転写対象物に貼り付けた状態で加熱押圧する定着工程を順に有することを特徴とする、絵柄転写方法。
【請求項２】吸水性の支持体とその上に設ける水溶層とその上に設ける像担持層とからなる絵柄転写紙を用い、その画像を担持する像担持層側を転写対象物に貼り付ける画像貼着工程、前記絵柄転写紙を前記転写対象物に貼り付けた状態で加熱押圧する定着工程、前記絵柄転写紙の支持体に水を含ませることにより前記水溶層を水で溶かして前記支持体を剥離する支持体剥離工程、前記像担持層に残存する前記水溶層の水溶性物質を除去するクリーニング工程を順に有することを特徴とする、絵柄転写方法。
【請求項３】吸水性の支持体とその上に設ける水溶層とその上に設ける像担持層とからなる絵柄転写紙を用い、その画像を担持する像担持層側を転写対象物に貼り付ける画像貼着工程、前記絵柄転写紙を前記転写対象物に貼り付けた状態で加熱押圧する第１定着工程、前記絵柄転写紙の支持体に水を含ませることにより前記水溶層を水で溶かして前記支持体を剥離する支持体剥離工程、前記像担持層に残存する前記水溶層の水溶性物質を除去するクリーニング工程、前記絵柄転写紙の像担持層を前記転写対象物に貼り付けた状態で加熱押圧する第２定着工程を順に有することを特徴とする、絵柄転写方法。
【請求項４】前記定着工程では、アイロンを用いて加熱押圧することを特徴とする、請求項１ないし３のいずれか１に記載の絵柄転写方法。
【請求項５】前記定着工程では、少なくとも一方で加熱する一対の挟持体で挟んで加熱押圧することを特徴とする、請求項１ないし３のいずれか１に記載の絵柄転写方法。
【請求項６】前記定着工程では、少なくとも一方で加熱する一対の回転体間を通して加熱押圧することを特徴とする、請求項１ないし３のいずれか１に記載の絵柄転写方法。
【請求項７】前記転写対象物が点字シートであることを特徴とする、請求項１ないし３のいずれか１に記載の絵柄転写方法。
【請求項８】前記像担持層で発泡インクを用いて形成した画像を担持し、その担持する画像の発泡インクを前記定着工程で熱を加えて発泡することを特徴とする、請求項１ないし３のいずれか１に記載の絵柄転写方法。
【請求項９】発泡トナーを用いて画像を形成することにより画像形成時の定着ですでに発泡しているトナー画像を、前記像担持体層で担持する前記絵柄転写紙を用い、前記画像貼着工程で前記転写対象物に貼り付け、前記定着工程で前記転写対象物に密着することを特徴とする、請求項１ないし３のいずれか１に記載の絵柄転写方法。
【請求項１０】吸水性の支持体とその上に設ける水溶層とその上に設ける薄膜樹脂コート層とからなるオーバーコート紙を用い、そのオーバーコート紙の薄膜樹脂コート層側を対象物の絵柄表示面に貼り付けるオーバーコート紙貼着工程、前記オーバーコート紙の支持体に水を含ませることにより前記水溶層を水で溶かして前記支持体を剥離する支持体剥離工程、前記薄膜樹脂コート層の表面に残存する前記水溶層の水溶性物質を除去するクリーニング工程、前記オーバーコート紙の薄膜樹脂コート層を前記対象物に貼り付けた状態で加熱押圧する定着工程を順に有することを特徴とする、オーバーコート方法。
【請求項１１】吸水性の支持体とその上に設ける水溶層とその上に設ける薄膜樹脂コート層とからなるオーバーコート紙を用い、そのオーバーコート紙の薄膜樹脂コート層側を対象物の絵柄表示面に貼り付けるオーバーコート紙貼着工程、前記オーバーコート紙を前記対象物に貼り付けた状態で加熱押圧する定着工程、前記オーバーコート紙の支持体に水を含ませることにより前記水溶層を水で溶かして前記支持体を剥離する支持体剥離工程、前記薄膜樹脂コート層の表面に残存する前記水溶層の水溶性物質を除去するクリーニング工程を順に有することを特徴とする、オーバーコート方法。
【請求項１２】吸水性の支持体とその上に設ける水溶層とその上に設ける薄膜樹脂コート層とからなるオーバーコート紙を用い、そのオーバーコート紙の薄膜樹脂コート層側を対象物の絵柄表示面に貼り付けるオーバーコート紙貼着工程、前記オーバーコート紙を前記対象物に貼り付けた状態で加熱押圧する第１定着工程、前記オーバーコート紙の支持体に水を含ませることにより前記水溶層を水で溶かして前記支持体を剥離する支持体剥離工程、前記薄膜樹脂コート層の表面に残存する前記水溶層の水溶性物質を除去するクリーニング工程、前記オーバーコート紙の薄膜樹脂コート層を前記対象物に貼り付けた状態で加熱押圧する第２定着工程を順に有することを特徴とする、オーバーコート方法。
【請求項１３】前記画像貼着工程で前記絵柄転写紙を前記転写対象物に貼り付ける接着剤として、ホットメルト接着剤を用いることを特徴とする、請求項１ないし９のいずれか１に記載の絵柄転写方法。
【請求項１４】前記オーバーコート紙貼着工程で前記オーバーコート紙を前記対象物に貼り付ける接着剤として、ホットメルト接着剤を用いることを特徴とする、請求項１０ないし１２のいずれか１に記載のオーバーコート方法。
【手続補正２】
【補正対象書類名】明細書
【補正対象項目名】００３２
【補正方法】変更
【補正の内容】
【００３２】
請求項１２に記載の発明は、オーバーコート方法であって、吸水性の支持体とその上に設ける水溶層とその上に設ける薄膜樹脂コート層とからなるオーバーコート紙を用い、そのオーバーコート紙の薄膜樹脂コート層側を対象物の絵柄表示面に貼り付けるオーバーコート紙貼着工程、オーバーコート紙を対象物に貼り付けた状態で加熱押圧する第１定着工程、オーバーコート紙の支持体に水を含ませることにより水溶層を水で溶かして支持体を剥離する支持体剥離工程、薄膜樹脂コート層の表面に残存する水溶層の水溶性物質を除去するクリーニング工程、オーバーコート紙の薄膜樹脂コート層を対象物に貼り付けた状態で加熱押圧する第２定着工程を順に有する、ことを特徴とする。
請求項１３に記載の発明は、請求項１ないし９のいずれか１に記載の絵柄転写方法において、画像貼着工程で絵柄転写紙を転写対象物に貼り付ける接着剤として、ホットメルト接着剤を用いる、ことを特徴とする。
請求項１４に記載の発明は、請求項１０ないし１２のいずれか１に記載のオーバーコート方法において、オーバーコート紙貼着工程でオーバーコート紙を対象物に貼り付ける接着剤として、ホットメルト接着剤を用いることを特徴とする。
【手続補正３】
【補正対象書類名】図面
【補正対象項目名】図５７
【補正方法】変更
【補正の内容】
【図５７】
2005066862.tif 000001
【手続補正書】
【提出日】平成18年8月24日(2006.8.24)
【手続補正１】
【補正対象書類名】明細書
【補正対象項目名】特許請求の範囲
【補正方法】変更
【補正の内容】
【特許請求の範囲】
【請求項１】
画像データに従ってインク液滴を吐出するための記録ヘッドと、
記録媒体を一方向に搬送しつつ前記記録ヘッドを前記記録媒体の搬送方向とほぼ直交する方向に走査して画像を記録する記録制御手段と、
前記記録ヘッドによる記録領域内の前記記録媒体を案内支持するプラテンと、
前記プラテン上に設けられた、縁無し印字を行うための複数のインク液滴吐出受けと、
縁無し印字を行う際、前記記録ヘッドの予備吐出を前記インク液滴吐出受けの領域内で行うための予備吐出画像を生成する予備吐出画像生成手段とを備え、
縁無し印字時に実画像に前記予備吐出画像を付加した画像に基づいて前記記録ヘッドのインク液滴の吐出を行うことを特徴とするインクジェット記録装置。
【請求項２】
前記予備吐出画像は記録媒体搬送方向に連続している画像である請求項１記載のインクジェット記録装置。
【請求項３】
前記予備吐出画像は記録媒体搬送方向に不連続な画像である請求項１記載のインクジェット記録装置。
【請求項４】
インクジェット記録装置における記録ヘッドの予備吐出方法であって、
縁無し印字時以外に行う第１の予備吐出動作を行うステップと、
縁無し印字時に行う第２の予備吐出動作を行うステップとを備え、
前記第２の予備吐出動作を行うステップは、
縁無し印字中に前記第１の予備吐出動作を抑止するステップと、
前記記録ヘッドの予備吐出を前記インク液滴吐出受けの領域内で行うための予備吐出画像を生成するステップと、
この予備吐出画像を実画像に付加するステップと、
この予備吐出画像が付加された実画像を記録するステップとを含む
ことを特徴とする予備吐出方法。
【請求項５】
インクジェット記録装置における記録ヘッドの予備吐出方法であって、
前記記録ヘッドの予備吐出を前記インク液滴吐出受けの領域内で行うための予備吐出画像を生成するステップと、
縁無し印字時にこの予備吐出画像を実画像に付加するステップと、
この予備吐出画像が付加された実画像を記録するステップとを含む
ことを特徴とする予備吐出方法。